(57)【要約】【課題】撮影者が自分撮りを行う際に、撮影者自身が周囲の雰囲気と調和した表情を見せている瞬間を的確に捉えて撮影することができる撮像装置を提供する。【解決手段】撮像部２が撮像する画像中に存在する人物の顔を検出する顔検出部３１と、自分撮りモードで顔検出部が検出した顔の位置および／または大きさに関する情報を少なくとも用いることによって画像中の撮影者の顔を特定する撮影者特定部３２と、撮影者特定部３２が特定した撮影者の顔の表情を判定する表情判定部３３と、表情判定部３３の判定結果に応じて自分撮りモードにおける撮像部２の撮影動作を制御する制御部１４と、を備える。【選択図】        図１
2010181490.tif 000002
【特許請求の範囲】
【請求項１】
光学系を介して撮像した画像を光電変換することによって電子的な画像データを生成する撮像部を備え、該撮像部による撮影の動作モードとして撮影者が前記光学系を自分に向けて撮影する場合に設定する自分撮りモードを有する撮像装置であって、
前記撮像部が撮像する画像中に存在する人物の顔を検出する顔検出部と、
前記自分撮りモードで前記顔検出部が検出した顔の位置および／または大きさに関する情報を少なくとも用いることによって前記画像中の撮影者の顔を特定する撮影者特定部と、
前記撮影者特定部が特定した撮影者の顔の表情を判定する表情判定部と、
前記表情判定部の判定結果に応じて前記自分撮りモードにおける前記撮像部の撮影動作を制御する制御部と、
を備えたことを特徴とする撮像装置。
【請求項２】
前記光学系の一部が表出する面の裏側に位置する面に設けられ、前記撮像部が生成した画像データに対応する画像を表示する表示部と、
前記表示部の表面に設けられ、外部からの押圧による接触を検知するタッチパネルと、
前記タッチパネルが検知した接触の位置を含む接触状態を検出する接触状態検出部と、
前記接触状態検出部が検出した接触状態が所定時間継続している場合、前記動作モードを前記自分撮りモードに設定するモード設定部と、
さらに備え、
前記撮影者特定部は、
前記顔検出部が検出した顔の位置および／または大きさに関する情報とともに前記接触状態を用いることによって前記画像中の撮影者の顔を特定することを特徴とする請求項１に記載の撮像装置。
【請求項３】
前記タッチパネルが検知する接触の位置と前記画像中の撮影者の顔の位置との相関関係を記憶する位置相関記憶部をさらに備え、
前記撮影者特定部は、
前記位置相関記憶部が記憶する相関関係を参照することによって前記画像中の撮影者の顔を特定することを特徴とする請求項２に記載の撮像装置。
【請求項４】
前記表情判定部は、
前記撮影者の表情が笑顔であるか否かを判定することを特徴とする請求項１〜３のいずれか一項に記載の撮像装置。
【請求項５】
前記画像に含まれる色を判定する色判定部をさらに備え、
前記色判定部は、
前記撮影者の顔と同じ色を有する部分が非撮影者の近傍にあるか否かを判定し、
前記制御部は、
前記表情判定部の判定結果および前記色判定部の判定結果に応じて前記自分撮りモードにおける前記撮像部の撮影動作を制御することを特徴とする請求項１〜４のいずれか一項に記載の撮像装置。
【発明の詳細な説明】
【技術分野】
【０００１】
本発明は、画像を撮像して該画像の電子的な画像データを生成する撮像装置に関する。
【背景技術】
【０００２】
近年、インターネット上でブログを開設し、自分の日常生活を公開する人が増えてきている。ブログでは写真が欠かすことのできない構成要素となっており、ブログの作成者本人が自分を被写体として自分自身で撮影した写真を載せるケースも多い。このような状況の下、自分撮りを容易に行うことを可能にする様々な技術が開示されている（例えば、特許文献１〜３を参照）。
【０００３】
【特許文献１】特開２００３−２２４７６１号公報
【特許文献２】特開２００７−３６４９２号公報
【特許文献３】特開２００８−１１８２７６号公報
【発明の開示】
【発明が解決しようとする課題】
【０００４】
自分撮りを行う際、撮影者は撮影することに夢中で自分の表情にまで気が回らないため、表情がこわばってしまいがちである。このため、自分撮りによって撮影者を含む複数の人物の写真を撮影すると、撮影者だけが周囲の雰囲気と調和せずに硬い表情をしている写真が撮影されてしまうことがあった。このような写真は、単に人物間の表情のバランスが悪いだけでなく、その場の和やかな雰囲気や人物同士の親密度が伝わらなくなってしまうおそれもあるため、何らかの対策を施すことが望ましい。しかしながら、上述した従来技術では、撮影者の表情に関する対策が施されてはいなかった。
【０００５】
本発明は、上記に鑑みてなされたものであって、撮影者が自分撮りを行う際に、撮影者自身が周囲の雰囲気と調和した表情を見せている瞬間を的確に捉えて撮影することができる撮像装置を提供することを目的とする。
【課題を解決するための手段】
【０００６】
上述した課題を解決し、目的を達成するために、本発明に係る撮像装置は、光学系を介して撮像した画像を光電変換することによって電子的な画像データを生成する撮像部を備え、該撮像部による撮影の動作モードとして撮影者が前記光学系を自分に向けて撮影する場合に設定する自分撮りモードを有する撮像装置であって、前記撮像部が撮像する画像中に存在する人物の顔を検出する顔検出部と、前記自分撮りモードで前記顔検出部が検出した顔の位置および／または大きさに関する情報を少なくとも用いることによって前記画像中の撮影者の顔を特定する撮影者特定部と、前記撮影者特定部が特定した撮影者の顔の表情を判定する表情判定部と、前記表情判定部の判定結果に応じて前記自分撮りモードにおける前記撮像部の撮影動作を制御する制御部と、を備えたことを特徴とする。
【０００７】
また、本発明に係る撮像装置は、上記発明において、前記光学系の一部が表出する面の裏側に位置する面に設けられ、前記撮像部が生成した画像データに対応する画像を表示する表示部と、前記表示部の表面に設けられ、外部からの押圧による接触を検知するタッチパネルと、前記タッチパネルが検知した接触の位置を含む接触状態を検出する接触状態検出部と、前記接触状態検出部が検出した接触状態が所定時間継続している場合、前記動作モードを前記自分撮りモードに設定するモード設定部と、さらに備え、前記撮影者特定部は、前記顔検出部が検出した顔の位置および／または大きさに関する情報とともに前記接触状態を用いることによって前記画像中の撮影者の顔を特定することを特徴とする。
【０００８】
また、本発明に係る撮像装置は、上記発明において、前記タッチパネルが検知する接触の位置と前記画像中の撮影者の顔の位置との相関関係を記憶する位置相関記憶部をさらに備え、前記撮影者特定部は、前記位置相関記憶部が記憶する相関関係を参照することによって前記画像中の撮影者の顔を特定することを特徴とする。
【０００９】
また、本発明に係る撮像装置は、上記発明において、前記表情判定部は、前記撮影者の表情が笑顔であるか否かを判定することを特徴とする。
【００１０】
また、本発明に係る撮像装置は、上記発明において、前記画像に含まれる色を判定する色判定部をさらに備え、前記色判定部は、前記撮影者の顔と同じ色を有する部分が非撮影者の近傍にあるか否かを判定し、前記制御部は、前記表情判定部の判定結果および前記色判定部の判定結果に応じて前記自分撮りモードにおける前記撮像部の撮影動作を制御することを特徴とする。
【発明の効果】
【００１１】
本発明によれば、自分撮りモードで検出した顔の位置および／または大きさに関する情報を少なくとも用いることによって撮影者を特定し、この特定した撮影者の顔の表情に応じて撮影動作を行うため、撮影者が自分撮りを行う際に、撮影者自身が周囲の雰囲気と調和した表情を見せている瞬間を的確に捉えて撮影することが可能となる。
【発明を実施するための最良の形態】
【００１２】
以下、添付図面を参照して本発明を実施するための最良の形態（以後、「実施の形態」と称する）を説明する。
【００１３】
（実施の形態１）
図１は、本発明の実施の形態１に係る撮像装置の構成を示すブロック図である。図２は、本実施の形態１に係る撮像装置の前面側の構成を示す斜視図である。図３は、本実施の形態１に係る撮像装置の背面側の構成を示す斜視図である。
【００１４】
図１〜図３に示す撮像装置１は、画像を撮像し、この画像の電子的な画像データを生成する撮像部２と、撮像部２が生成した画像データに対して画像処理を施す画像処理部３と、画像処理部３で処理が施された画像データに対応する画像を表示する表示部４と、明るさを含む撮像部２の視野領域の状態を検知するセンサ部５と、撮像装置１の表面に設けられた各種ボタンからなり、操作信号等の入力を受け付ける入力ボタン６と、表示部４に積層して設けられ、外部からの押圧による接触を検知するタッチパネル７と、タッチパネル７で検知した接触の発生領域に関する情報を含む接触状態を検出する接触状態検出部８と、入力ボタン６による入力や接触状態検出部８の検出結果に基づいて撮像装置１が行う動作モードを設定するモード設定部９と、ＬＥＤ（Light Emitting Diode）を用いて実現され、撮像装置１が所定の撮影モード（後述する自分撮りモード）に設定されていることを少なくとも報知する報知部１０と、撮影日時の判定機能やタイマー機能を有する時計１１と、撮像部２の視野領域へ補助光を投射する補助光投射部１２と、撮像部２が撮影した画像データを含む各種情報を記憶する記憶部１３と、入力ボタン６やタッチパネル７から入力される操作信号などに応じて撮像装置１の動作を制御する制御部１４と、を備える。
【００１５】
撮像部２は、一または複数のレンズによって構成され、所定の視野領域に存在する被写体からの光を集光する光学系と、光学系が集光した光の入射量を調整する絞りと、レリーズ入力に応じて動作するシャッタと、絞りおよびシャッタを通過した光を受光して電気信号に変換するＣＣＤ（Charge Coupled Device）等の撮像素子と、撮像素子から出力されるアナログ信号に増幅やホワイトバランス等の信号処理を施した後、Ａ／Ｄ変換を行うことによってデジタルの画像データを生成する信号処理回路とを有する。
【００１６】
画像処理部３は、撮像部２が生成した画像データに含まれる人物の顔をパターンマッチングによって検出する顔検出部３１と、顔検出部３１が検出した顔の位置および接触状態検出部８が検出した接触状態に基づいて画像中に存在する人物の顔のうち撮影者の顔を特定する撮影者特定部３２と、撮影者特定部３２が特定した撮影者の顔の表情を判定する表情判定部３３と、を有する。顔検出部３１は、記憶部１３のパターン情報記憶部１３２が記憶している顔のパターン情報を用いてパターンマッチングを行うことにより、撮像部２が撮像している画像（スルー画像）中の人物の顔の有無を検出する。表情判定部３３は、撮影者特定部３２が特定した撮影者の顔の表情が笑顔であるか否かをパターン情報に基づいて判定する。撮影者特定部３２は、タッチパネル７への外部からの接触位置と撮影者の顔の位置との対応関係に基づいて撮影者を特定する。
【００１７】
表示部４は、撮像部２の光学系が表出する面（前面）の裏側に位置する面（背面）に設けられ、画像データのほかに撮像装置１の操作情報や撮影に関する情報を適宜表示する。表示部４は、液晶、プラズマまたは有機ＥＬ（Electro Luminescence）等からなる表示パネルを用いて実現される。
【００１８】
入力ボタン６は、レリーズ信号を入力するレリーズボタン６ａと、各種操作信号を入力する十字キー６ｂとを有する。
【００１９】
タッチパネル７は、酸化インジウムスズの薄膜（ＩＴＯ膜）からなる透明抵抗膜を用いて実現され、外部からの押圧による透明抵抗膜の変化に応じた電圧変化を検出することによって押圧された位置を特定し、この特定した位置に応じた信号を入力する。
【００２０】
モード設定部９は、撮像装置１の動作モードとして、画像を撮影する撮影モードと、撮影済み画像を表示部４で再生表示する再生モードとを少なくとも設定する。このうち、撮影モードとしては、「通常撮影モード」および「自分撮りモード」の２種類を設定することができる。これら２種類の撮影モードの違いはレリーズ信号の入力方法にある。すなわち、通常撮影モードはレリーズボタン６ａを押下することによってレリーズ信号の入力を行うモードである一方、自分撮りモードはスルー画像中で撮影者と特定された人物の表情に応じてレリーズ信号の入力を行うモードである。モード設定部９は、通常撮影モードに設定されている状態でタッチパネル７に所定の押圧力が継続して加えられた場合、動作モードを自分撮りモードへ切り換える。
【００２１】
記憶部１３は、撮像部２が撮影し、画像処理部３によって処理が施された撮影済みの画像データを記憶する画像データ記憶部１３１と、顔検出部３１がパターンマッチングによって顔を検出する際に参照する顔のパターン情報を記憶するパターン情報記憶部１３２と、タッチパネル７が検知する外部からの接触の位置とスルー画像中の撮影者の顔の位置との相関関係を記憶する位置相関記憶部１３３と、撮像装置１が実行する各種プログラムを記憶するプログラム記憶部１３４とを有する。記憶部１３は、撮像装置１の内部に固定的に設けられるフラッシュメモリやＲＡＭ（Random Access Memory）等の半導体メモリを用いて実現される。なお、記憶部１３に、外部から装着されるメモリカード等の記録媒体に対して情報を記録する一方、記録媒体が記録する情報を読み出す記録媒体インターフェースとしての機能を具備させてもよい。
【００２２】
図４は、位置相関記憶部１３３が記憶する相関関係を示す図である。図５は、タッチパネル７の接触領域の区分を示す図である。図４に示すテーブル２００は、タッチパネル７の左半分の領域Ｓ1に外部からの接触がある場合、スルー画像中で一番左側の人物を撮影者とする一方、タッチパネル７の右半分の領域Ｓ2に外部からの接触がある場合、スルー画像中で一番右側にいる人物を撮影者とすることを示している。テーブル２００に示す相関関係は、複数の人物が並んだ状態でそのうちの一人が撮影を行う場合、両端に位置する人物のどちらかが撮影者となりやすいことに鑑みて定められたものである。
【００２３】
制御部１４は、ＭＰＵ（Micro Processing Unit）等を用いて実現され、制御対象である撮像装置１の各構成部位とバスラインを介して接続されている。
【００２４】
図６は、以上の構成を有する撮像装置１を自分撮りモードに設定して自分撮りを行う状況を示す図である。また、図７は、図６に示す状態のスルー画像の表示例を示す図である。図６に示す状況において、顔検出部３１がスルー画像に含まれる顔を検出した後、撮影者特定部３２がタッチパネル７への撮影者１０１の手１０１ｈの接触位置に応じて、二人の人物１０１、１０２のうち左側に位置する人物１０１が撮影者であることを特定する（以後、人物１０１を「撮影者１０１」といい、人物１０２を「非撮影者１０２」という）。その後、表情判定部３３が撮影者１０１の表情を判定し、図６および図７に示すように撮影者１０１の表情が笑顔でない場合には、報知部１０が所定のパターンでＬＥＤを点滅することによって警告を出力する。ＬＥＤの点滅を見た撮影者１０１は、自分の表情を変えて笑顔にする。図８は、図６に示す状況の後、報知部１０によって警告を受けた撮影者１０１が表情を変えた後の状況を示す図である。また、図９は、図８に示す状態のスルー画像の表示例を示す図である。制御部１４は、撮影者１０１の表情が笑顔になった場合に自動的に撮影を行う。
【００２５】
このように、本実施の形態１では、撮像装置１を自分撮りモードに設定して自分撮りを行う場合、撮影者１０１が操作に集中するあまり表情をこわばらせてしまっている場合であっても、撮像装置１がその状態を報知することによって撮影者１０１の表情を笑顔に変化させてから撮影することができる。なお、報知部１０に音声出力機能を具備させ、撮影者１０１の表情が笑顔でない場合には、「笑ってください。」等のメッセージを音声で出力するようにしてもよい。
【００２６】
図１０は、撮像装置１が自分撮りモードによる撮影を行う場合の処理の概要を示すフローチャートである。図１０では、撮像装置１が初期状態として通常撮影モードに設定されているものとする。
【００２７】
まず、表示部４がスルー画像を表示（ステップＳ１）し、制御部１４がスルー画像に対してピントの調整を自動的に行う（ステップＳ２）。
【００２８】
その後、タッチパネル７への外部からの押圧による接触があり（ステップＳ３：Ｙｅｓ）、かつその接触が所定時間継続した場合（ステップＳ４：Ｙｅｓ）、モード設定部９は、撮像装置１の動作モードを自分撮りモードへ切り換える（ステップＳ５）。この後、報知部１０は、ＬＥＤを点灯することによって自分撮りモードに設定されていることを報知する（ステップＳ６）。報知部１０は、自分撮りモードに設定されている間、ＬＥＤを点灯し続ける。なお、タッチパネル７への外部からの接触があり（ステップＳ３：Ｙｅｓ）、かつその接触が所定時間継続していない場合（ステップＳ４：Ｎｏ）、撮像装置１はステップＳ３に戻る。
【００２９】
ステップＳ３においてタッチパネル７への外部からの押圧による接触がない場合（ステップＳ３：Ｎｏ）、レリーズボタン６ａが押下されれば（ステップＳ７：Ｙｅｓ）、撮像装置１はステップＳ１５へ進む一方、レリーズボタン６ａが押下されなければ（ステップＳ７：Ｎｏ）、撮像装置１はステップＳ１へ戻る。
【００３０】
以下、ステップＳ６で報知部１０が自分撮りモードに設定されていることを報知した後の処理を説明する。顔検出部３１は、スルー画像に含まれる顔を検出する（ステップＳ８）。この際、顔検出部３１は、パターン情報記憶部１３２が記憶する顔のパターン情報を参照してパターンマッチングを行うことにより、スルー画像に含まれる顔を検出する。
【００３１】
顔検出部３１が所定時間内に顔を検出した場合（ステップＳ９：Ｙｅｓ）、制御部１４は顔にピントが合うように再調整する（ステップＳ１０）。なお、顔検出部３１が検出した顔の中に、顔の一部しか検出しないものが含まれている場合には、報知部１０を介して警告を出力するようにしてもよい。
【００３２】
続いて、撮影者特定部３２は、テーブル２００を参照して撮影者を特定する（ステップＳ１１）。撮影者特定部３２が撮影者を特定できた場合（ステップＳ１２：Ｙｅｓ）、表情判定部３３は撮影者の表情を判定する（ステップＳ１３）。表情判定部３３が判定した結果、撮影者が笑顔である場合（ステップＳ１４：Ｙｅｓ）、撮像部２は制御部１４の制御のもとで画像の撮影を行う（ステップＳ１５）。この撮影動作の瞬間または直後に、報知部１０がＬＥＤを点滅させて撮影動作を報知し、所定時間経過後にＬＥＤを消灯するようにすればより好ましい。
【００３３】
その後、制御部１４は、撮像部２によって生成され、画像処理部３によって画像処理が施された画像データに対し、時計１１の出力を参照してデータ生成日時等の情報を付加し、画像データ記憶部１３１に記録する（ステップＳ１６）。
【００３４】
ステップＳ１６の後、撮影を終了する終了指示が入力ボタン６によって入力された場合（ステップＳ１７：Ｙｅｓ）、撮像装置１は一連の処理を終了する。一方、ステップＳ１６の後、撮影の終了指示が入力ボタン６によって入力されない場合（ステップＳ１７：Ｎｏ）、撮像装置１はステップＳ１に戻る。
【００３５】
ステップＳ９で顔検出部３１が所定時間内に顔を検出しなかった場合（ステップＳ９：Ｎｏ）、およびステップＳ１２で撮影者特定部３２が撮影者を特定できなかった場合（ステップＳ１２：Ｎｏ）、報知部１０は所定のパターンでＬＥＤを点滅することによって撮像装置１がエラー状態にあることを報知する（ステップＳ１８）。続いて、モード設定部９は、撮像装置１の動作モードを通常撮影モードへ切り換える（ステップＳ１９）。通常撮影モードへ切り換わると、報知部１０のＬＥＤは消灯する。その後、撮像装置１はステップＳ１７へ進む。
【００３６】
ステップＳ１３で表情判定部３３が判定した結果、撮影者が笑顔でない場合（ステップＳ１４：Ｎｏ）、報知部１０がステップＳ１９とは異なるパターンで点滅することによって警告を出力する（ステップＳ２０）。報知部１０は、警告に相当するパターンでＬＥＤを所定時間点滅した後、ＬＥＤを消灯する。その後、撮像装置１はステップＳ１７へ進む。
【００３７】
なお、撮像装置１が初期状態として再生モードに設定されている場合にも、撮影者がタッチパネル７を所定時間継続して押圧することによって自分撮りモードへ移行することができるようにしてもよい。
【００３８】
また、撮像装置１に電源が入っていない状態でタッチパネル７を所定時間継続して押圧した場合、自分撮りモードに設定した状態で電源をオンするようにしてもよい。
【００３９】
また、自分撮りモードで撮像部２が撮影を行う際に補助光投射部１２が補助光を投射する場合、制御部１４が通常撮影モードの撮影時よりも補助光の光度を低くする制御を行ってもよい。
【００４０】
以上説明した本発明の実施の形態１によれば、自分撮りモードで検出した顔の位置および／または大きさに関する情報を少なくとも用いることによって撮影者を特定し、この特定した撮影者の顔の表情に応じて撮影動作を行うため、撮影者が自分撮りを行う際に、撮影者自身が周囲の雰囲気と調和した表情を見せている瞬間を的確に捉えて撮影することが可能となる。
【００４１】
また、本実施の形態１によれば、撮影者は撮像装置１の前面を自分の方へ向けた状態でタッチパネル７を接触するだけで自分撮りモードへ移行することができるため、とっさの判断に応じて迅速かつ容易に自分撮りを行うことができる。
【００４２】
また、本実施の形態１によれば、自分撮りモードではタッチパネルに接触するように撮像装置を把持すればよいため、持ち方の自由度が大きく、不自然な体勢で撮像装置１を持たないで済む。その結果、撮影時に手ブレを生じたり、手で撮像部や補助光投射部を覆ってしまうような不具合を防止することができる。また、レリーズボタンを押して撮影する場合と比較して、撮像装置から自分自身までの距離を遠くすることができるため、撮影者が自分撮りを行う際のアングルの選択の自由度が大きくなり、背景も含めて多様な構図で自分撮りを行うことができる。
【００４３】
なお、本実施の形態１では、タッチパネル７の外部からの接触位置に応じてテーブル２００を参照して撮影者の特定を行ったが、撮影者特定部３２は他の方法で撮影者を特定するようにしてもよい。例えば、複数の人が並んで撮影する場合には、図１１に示すように、撮像装置１から撮影者１０１の顔までの距離Ｌ１の方が撮像装置１から非撮影者１０２の顔までの距離Ｌ２よりも小さくなってしまう傾向にある。この場合のスルー画像は、図１２に示すように、撮影者１０１の顔が非撮影者１０２の顔よりも大きくなる。そこで、撮影者特定部３２は、画像に含まれる人物の顔のうち最も大きい顔を撮影者の顔と特定するようにしてもよい。
【００４４】
（実施の形態２）
図１３は、本発明の実施の形態２に係る撮像装置の構成を示すブロック図である。同図に示す撮像装置２１は、画像処理部２２を除いて撮像装置１と同じ構成を有する。画像処理部２２は、顔検出部３１、撮影者特定部３２、表情判定部３３に加えて、撮像部２が撮像した画像に含まれる色を判定する色判定部３４をさらに有する。
【００４５】
図１４は、撮像装置２１を自分撮りモードに設定して自分撮りを行う状況を示す図である。図１５は、図１４に示す状態のスルー画像の表示例を示す図である。図１４に示す状況において、被写体である二人の人物のうち、撮像装置２１から見て右側に位置する撮影者１０３は、その左側に位置する非撮影者１０４の肩を抱きながら自分と非撮影者１０４を撮影しようとしている。撮像装置２１は、撮影者１０３の特定、撮影者１０３の表情の判定を行った後、色判定部３４によって撮影者１０３の顔と同じ色の部位（図１４に示す場合には撮影者１０３の手１０３ｈ）が非撮影者１０４の近傍に存在するか否かを判定する。
【００４６】
図１６は、撮像装置２１が自分撮りモードによる撮影を行う場合の処理の概要を示すフローチャートである。図１６では、撮像装置２１が初期状態として通常撮影モードに設定されているものとする。図１６において、ステップＳ３１〜Ｓ４３の処理は、図１０におけるステップＳ１〜Ｓ１３の処理に順次対応している。なお、ステップＳ３７でレリーズボタン６ａが押下された場合には、後述するステップＳ４７へ進む。以下、ステップＳ４４以降の処理を説明する。
【００４７】
ステップＳ４３において表情判定部３３が判定した結果、撮影者１０３が笑顔である場合（ステップＳ４４：Ｙｅｓ）、色判定部３４は撮影者１０３の顔の色を判定する（ステップＳ４５）。その後、非撮影者１０４の近傍に撮影者１０３の顔の色と同じ色の領域があれば（ステップＳ４６：Ｙｅｓ）、撮像部２が制御部１４の制御のもとで画像の撮影を行い（ステップＳ４７）、制御部１４が画像データを画像データ記憶部１３１へ記録する（ステップＳ４８）。本実施の形態２においても、ステップＳ４７の撮影動作の瞬間または直後に、報知部１０がＬＥＤを点滅させて撮影動作を報知し、所定時間経過後にＬＥＤを消灯するようにすればより好ましい。
【００４８】
その後、撮影を終了する終了指示が入力ボタン６によって入力された場合（ステップＳ４９：Ｙｅｓ）、撮像装置２１は一連の処理を終了する。一方、ステップＳ４９で撮影の終了指示が入力ボタン６によって入力されない場合（ステップＳ４９：Ｎｏ）、撮像装置２１はステップＳ１に戻る。
【００４９】
ステップＳ３９で顔検出部３１が所定時間内に顔を検出しなかった場合（ステップＳ３９：Ｎｏ）、およびステップＳ４２で撮影者特定部３２が撮影者を特定できなかった場合（ステップＳ４２：Ｎｏ）、報知部１０は所定のパターンでＬＥＤを点滅することによって撮像装置２１がエラー状態にあることを報知する（ステップＳ５０）。続いて、モード設定部９は、撮像装置２１の動作モードを通常撮影モードへ切り換える（ステップＳ５１）。通常撮影モードへ切り換わると、報知部１０のＬＥＤは消灯する。その後、撮像装置２１はステップＳ４９へ進む。
【００５０】
ステップＳ４４で表情判定部３３が判定した結果、撮影者が笑顔でない場合（ステップＳ４４：Ｎｏ）、およびステップＳ４５で色判定部３４が判定した結果、非撮影者の近傍に撮影者の顔と同じ色の領域がない場合（ステップＳ４６：Ｎｏ）、報知部１０がステップＳ５０とは異なるパターンでＬＥＤを点滅することによって警告を出力する（ステップＳ５２）。報知部１０は、警告に相当するパターンでＬＥＤを所定時間点滅した後、ＬＥＤを消灯する。その後、撮像装置２１はステップＳ４９へ進む。
【００５１】
以上説明した本発明の実施の形態２によれば、自分撮りモードで検出した顔の位置および／または大きさに関する情報を少なくとも用いることによって撮影者を特定し、この特定した撮影者の顔の表情に応じて撮影動作を行うため、撮影者が自分撮りを行う際に、撮影者自身が周囲の雰囲気と調和した表情を見せている瞬間を的確に捉えて撮影することが可能となる。
【００５２】
また、本実施の形態２によれば、撮影者の手が非撮影者の近傍にある状態を検知して撮影するため、人物間の親密度をより的確に表現することができる。
【００５３】
また、本実施の形態２によれば、手のパターンでなく色を判定するため、手のように形状が複雑で動きが多く、パターンマッチングが困難な部分であっても容易に検出することが可能となる。
【００５４】
また、本実施の形態２によれば、上記実施の形態１と同様、とっさの判断に応じて迅速かつ容易に自分撮りを行うことができ、撮影時の不具合を防止しつつ多様な構図で自分撮りを行うことができる。
【００５５】
なお、本実施の形態２において、非撮影者が肌を露出している場合などには誤検知してしまうおそれもあるため、このような場合を想定して、色判定とともに該当する色領域の動き判定を行い、動きが多い領域を手と見なすようにしてもよい。
【００５６】
（その他の実施の形態）
ここまで、本発明を実施するための最良の形態として実施の形態１、２を詳述してきたが、本発明はそれら２つの実施の形態によってのみ限定されるべきものではない。例えば、自分撮りモードにおけるレリーズ信号を撮影者が入力するようにしてもよい。この場合には、タッチパネル７をさらに強く押圧することによってレリーズ信号を入力するようにしてもよいし、通常のレリーズボタン６ａを押下することによってレリーズ信号を入力するようにしてもよい。前者の場合、レリーズ信号の入力時の押圧力は、撮影者が意識して強く押圧する程度の大きさを有していることが望ましい。
【００５７】
また、本発明において、撮影した画像をブログなどに掲載するために、撮像装置に通信部を設け、撮影済みの画像を通信ネットワークを介して送受信可能な構成としてもよい。
【００５８】
また、本発明において、スルー画像中の全ての人物の表情が笑顔になったタイミングで撮影動作を行うようにしてもよい。
【図面の簡単な説明】
【００５９】
【図１】本発明の実施の形態１に係る撮像装置の構成を示すブロック図である。
【図２】本発明の実施の形態１に係る撮像装置の前面側の構成を示す斜視図である。
【図３】本発明の実施の形態１に係る撮像装置の背面側の構成を示す斜視図である。
【図４】タッチパネルの接触領域と画像中の撮影者の位置との相関関係を示す図である。
【図５】タッチパネルの接触領域の区分を示す図である。
【図６】本発明の実施の形態１に係る撮像装置が自分撮りモードに設定されている場合に自分撮りを行う状況を示す図である。
【図７】図６に示す状況で撮像部が撮像する画像を示す図である。
【図８】図６に示す状況から報知部の報知によって撮影者が笑顔になった状況を示す図である。
【図９】図８に示す状況で撮像部が撮像する画像を示す図である。
【図１０】本発明の実施の形態１に係る撮像装置が自分撮りモードによる撮影を行う場合の処理の概要を示すフローチャートである。
【図１１】撮影者特定部における撮影者特定処理の別な例を示す図である。
【図１２】図１１に示す状況で撮像部が撮像する画像を示す図である。
【図１３】本発明の実施の形態２に係る撮像装置の構成を示すブロック図である。
【図１４】本発明の実施の形態２に係る撮像装置が自分撮りモードに設定されている場合に自分撮りを行う状況を示す図である。
【図１５】図１４に示す状況で撮像部が撮像する画像を示す図である。
【図１６】本発明の実施の形態２に係る撮像装置が自分撮りモードによる撮影を行う場合の処理の概要を示すフローチャートである。
【符号の説明】
【００６０】
１、２１  撮像装置
２  撮像部
３、２２  画像処理部
４  表示部
５  センサ部
６  入力ボタン
６ａ  レリーズボタン
６ｂ  十字キー
７  タッチパネル
８  接触状態検出部
９  モード設定部
１０  報知部
１１  時計
１２  補助光投射部
１３  記憶部
１４  制御部
３１  顔検出部
３２  撮影者特定部
３３  表情判定部
３４  色判定部
１０１、１０３  撮影者
１０１ｈ、１０３ｈ  手
１０２、１０４  非撮影者
１３１  画像データ記憶部
１３２  パターン情報記憶部
１３３  位置相関記憶部
１３４  プログラム記憶部
２００  テーブル
【図１】
2010181490.tif 000003
【図２】
2010181490.tif 000004
【図３】
2010181490.tif 000005
【図４】
2010181490.tif 000006
【図５】
2010181490.tif 000007
【図６】
2010181490.tif 000008
【図７】
2010181490.tif 000009
【図８】
2010181490.tif 000010
【図９】
2010181490.tif 000011
【図１０】
2010181490.tif 000012
【図１１】
2010181490.tif 000013
【図１２】
2010181490.tif 000014
【図１３】
2010181490.tif 000015
【図１４】
2010181490.tif 000016
【図１５】
2010181490.tif 000017
【図１６】
2010181490.tif 000018